(57)【特許請求の範囲】
【請求項１】
写真フイルムの読取対象エリアとなる開口位置にロアマスクを有するキャリアベースと、前記ロアマスクを通過するように形成される前記写真フイルムの搬送路と、前記ロアマスクに対応する位置でロアマスクとにより前記搬送路を挟むように配置されるアッパマスクと、このアッパマスクを保持し、前記写真フイルムを前記ロアマスク及びアッパマスクにより挟持する挟持位置と写真フイルムを開放する退避位置との間で変位自在な圧着部材と、この圧着部材を前記挟持位置または退避位置に選択的にセットする駆動部とを備え、前記圧着部材を写真フイルムの幅方向に平行な圧着部材取付軸に取り付けたことを特徴とするフイルムキャリア。
【請求項２】
前記キャリアベースに開閉自在に取り付けられる上カバーを備え、この上カバーに前記圧着部材取付軸を介して前記圧着部材を取り付けたことを特徴とする請求項１記載のフイルムキャリア。
【請求項３】
前記上カバーは、上カバー取付軸を介してキャリアベースに開閉自在に取り付けられ、上カバー取付軸は前記搬送路の搬送方向と平行に配置されていることを特徴とする請求項２記載のフイルムキャリア。
【請求項４】
前記搬送路を複数有し、この複数の搬送路を跨ぐように前記圧着部材を構成するとともに、各搬送路のロアマスクに対応する位置で前記アッパマスクを設けたことを特徴とする請求項１ないし３いずれか１つ記載のフイルムキャリア。
【請求項５】
前記駆動部をソレノイドから構成し、前記複数の搬送路の間に配置したことを特徴とする請求項４記載のフイルムキャリア。
【発明の詳細な説明】
【０００１】
【発明の属する技術分野】
本発明は、開閉可能な上カバーを取り付けたフイルムキャリアに関するものである。
【０００２】
【従来の技術】
写真フイルムの画像をＣＣＤで読み取り、デジタル的に加工した後に、印画紙等にプリントすることが行われている。この場合に、フイルム搬送路に設けた光透過部から、光源の光を写真フイルムに照射し、この写真フイルムの透過光をＣＣＤで撮像することにより、画像の読み取りを行っている。このような画像の読み取りにはフイルムキャリアが用いられる。フイルムキャリアには、プリント位置にセットされたコマを押さえるために、アッパーマスクとロアマスクとからなるキャリアマスクが着脱自在に取り付けられている。そして、コマサイズなどが変更された時に、これに対応させてアッパーマスクやロアマスクを該当するサイズのものに変えるようにしている。
【０００３】
アッパーマスクや、ロアマスクを交換する必要性や、また他の部品の調整や清掃などのメンテナンス性を向上させるための要求から、例えば、特開平６−２８９５０７号公報や、特許第２９８８５６３号公報に記載されているフイルムキャリアのように、キャリア本体をフイルム搬送路の上下で分割して開閉可能とする構造にしている。このようなフイルムキャリアの場合、メンテナンス時には、キャリア本体を開放状態にしてフイルム搬送路を露呈させ、部品の交換や清掃を容易に行うことができる。
【０００４】
上述した特開平６−２８９５０７号公報などに記載されているフイルムキャリアでは、アッパーマスクが取り付けられた圧着板をフイルム搬送路と平行に配置された取付軸を介してフイルム搬送路の上方に設けている。その圧着板をソレノイドなどにより駆動させ、ロアマスク上の対象コマをアッパーマスクで押さえ付けている。
【０００５】
【発明が解決しようとする課題】
ところで，近年１３５タイプフイルムや、ＩＸ２４０タイプフイルムなど様々な種類のフイルムが市販され、これらをプリントする際の効率化を図るために複数の異なる種類のフイルムに対応できるフイルムキャリアが要求されている。このようなフイルムキャリアの場合、異なる種類のフイルムに応じた複数のフイルム搬送路が必要となる。
【０００６】
しかしながら、上述した特開平６−２８９５０７号公報に記載されているフイルムキャリアでは、フイルム搬送路と平行な取付軸を介して圧着板を設けているため、１つの圧着板に、例えば２種類のフイルム搬送路に対応したアッパーマスクを取り付けると、圧着板の取付軸は、どちらか一方のフイルム搬送路に近い位置にあり、取付軸から遠い方に位置するフイルム搬送路に対応したアッパーマスクでは、回動する半径が大きくなるため、アッパーマスクが所定位置を押さえ付けるための位置精度を出すことが困難になる。またアッパーマスクがフイルムを押さえ付ける力が、取付軸に近い位置と遠い位置とで異なるため、圧着板を駆動させるソレノイドの駆動力の調整なども非常に難しい。
【０００７】
このようなフイルムキャリアの場合、複数のフイルム搬送路に対応した圧着板やソレノイドを設けることも考えられるが、部品点数の増加はコストダウン化の妨げになるため好ましくない。また、複数のソレノイドを設ける場合、それらを配置するスペースがそれぞれ必要となり、フイルムキャリアのコンパクト化を妨げることになる。
【０００８】
本発明は上記課題を解決するためのものであり、複数の異なる種類のフイルムに対応することが可能であるととともに、コンパクト化、及びコストダウン化を図ることができる構成のフイルムキャリアを提供することを目的とする。
【０００９】
【課題を解決するための手段】
上記目的を達成するために、本発明のフイルムキャリアは、写真フイルムの読取対象エリアとなる開口位置にロアマスクを有するキャリアベースと、前記ロアマスクを通過するように形成される前記写真フイルムの搬送路と、前記ロアマスクに対応する位置でロアマスクとにより前記搬送路を挟むように配置されるアッパマスクと、このアッパマスクを保持し、前記写真フイルムを前記ロアマスク及びアッパマスクにより挟持する挟持位置と写真フイルムを開放する退避位置との間で変位自在な圧着部材と、この圧着部材を前記挟持位置または退避位置に選択的にセットする駆動部とを備え、前記圧着部材を写真フイルムの幅方向に平行な圧着部材取付軸に取り付けている。
【００１０】
なお、前記キャリアベースに開閉自在に取り付けられる上カバーを備え、この上カバーに前記圧着板取付軸を介して前記圧着部材を取り付けることが好ましく、前記上カバーは、上カバー取付軸を介してキャリアベースに開閉自在に取り付けられ、上カバー取付軸は前記搬送路の搬送方向と平行に配置されていることが好ましい。
【００１１】
また、前記搬送路を複数有し、この複数の搬送路を跨ぐように前記圧着部材を構成するとともに、各搬送路のロアマスクに対応する位置で前記アッパマスクを設けることなども本発明では効果的である。
【００１２】
【発明の実施の形態】
図１、図２は、本発明のフイルムキャリア１０を示す外観斜視図であり、図３は構成を示す説明図である。また、図１は使用時の状態を示し、図２はメンテナンス時の状態を示している。フイルムキャリア１０は、キャリアベース１１と上カバー１２とから構成されており、これらの間に２つのフイルム搬送路１３，１４が形成されている。互いに平行に並んでいるこれらのフイルム搬送路１３及びフイルム搬送路１４には、１３５タイプの写真フイルム１５及びＩＸ２４０タイプの写真フイルム１６がそれぞれセットされて搬送される。このフイルムキャリア１０は図示しないキャリアスライド機構によって画像読取装置の作業台に取り付けられ、２つのフイルム搬送路１３、１４の一方が画像読取装置の読み取り位置に選択的にセットされる。
【００１３】
上カバー１２は、フイルム搬送路１３、１４と平行な上カバー取付軸１２ａ（図６参照）を介して、キャリアベース１１に開閉可能に取り付けられており、図示しないバネにより開放状態に付勢されている。図１に示す使用時には、上カバー１２はロック部材１７により閉じ状態で固定される。また、ロック部材１７をスライドさせることにより、ロック部材１７による上カバー１２の係止が解除される。ロック部材１７による係止が解除されると、バネ付勢により上カバー１２が上方に回動し、フイルム搬送路１３、１４を露呈する開放状態になる。図２に示すように、フイルム搬送路１３、１４は、キャリアベース１１側に設けられたフイルム搬送路下方部１３ａ，１４ａと、上カバー１２側に設けられたフイルム搬送路上方部１３ｂ、１４ｂとからそれぞれ構成される。そして、開放状態ではフイルム搬送路１３、１４の掃除などのメンテナンスが行われる。
【００１４】
キャリアベース１１の一方の側方部には第１駆動部カバー１８が設けられており、この第１駆動部カバー１８内に、後述するフイルム送り出しモータ１９や、遊星歯車機構などが配置されている。また、第１駆動部カバー１８とは反対側の側方部には、フイルム貯留部２０及び第２駆動部カバー２１が設けられている。フイルム貯留部２０は、画像読み取りのためにセットされた写真フイルム１５，１６を一時的に貯留するスペースである。第２駆動部カバー２１内には、後述するフイルム搬送モータ２２などが配置されている。また、符号２３は操作ボタンであり、フイルム送りの際に操作される。
【００１５】
図３に示すように、１３５タイプの写真フイルム１５がセットされるフイルム搬送路１３には、フイルム挿入口２４から順に、フイルム先端センサ２５、第１フイルム搬送ローラ対２６、第１パーフォレーションセンサ２７、第２フイルム搬送ローラ対２８、第３フイルム搬送ローラ対２９、露光開口３０、フイルムプレス機構３１、第４フイルム搬送ローラ対３２、第２パーフォレーションセンサ３３、第５フイルム搬送ローラ対３４が配置されている。また、第５フイルム搬送ローラ対３４を出た写真フイルム１５は、その先にあるフイルム貯留部２０に案内される。
【００１６】
フイルム先端センサ２５は、写真フイルム１５の先端の挿入を検知する。この検知信号はコントローラ３６に送られる。コントローラ３６は、フイルム先端検知信号に基づきフイルム搬送モータ２２を正転する。フイルム搬送モータ２２の回転は、図示しないタイミングベルトやプーリ、及び後述する連結ローラを介して各搬送ローラ対２６，２８，２９，３２に伝達される。これにより、写真フイルム１５がフイルムキャリア１０内に引き込まれるように送られる。また、送られた写真フイルム１５は、フイルム貯留部２０内へ案内される。パーフォレーションセンサ２７，３３は写真フイルム１５のパーフォレーションを検出する。パーフォレーション検出信号は、各コマの記録位置の特定などに用いられる。
【００１７】
露光開口３０は、フイルム搬送路１３のほぼ中央に設けられており、この露光開口３０を通して、写真フイルム１５に光源からの光が照射される。そして、この写真フイルム１５の透過光がＣＣＤで撮像され、画像が読み取られる。フイルムプレス機構３１は、後述するように露光開口３０上に設けられており、露光開口３０の位置に対象コマがセットされたときに写真フイルム１５を挟持する。フイルム貯留部２０には、フイルム巻取り軸３７が設けられている。このフイルム巻取り軸３７は、フイルム送りに同期してフイルム搬送モータ２２により回転され、送られてきた写真フイルム１５を巻き取って一時的に貯留する。
【００１８】
また，ＩＸ２４０タイプの写真フイルム１６がセットされるフイルム搬送路１４には、フイルムカートリッジ装填部４０、第１搬送ローラ対４１、読み取り用磁気ヘッド４２、パーフォレーションセンサ４３、露光開口４４、フイルムプレス機構３１、第２搬送ローラ対４５、記録用磁気ヘッド４６、第３搬送ローラ対４７が順に配置されている。
【００１９】
図２に示すように、フイルムカートリッジ装填部４０は、キャリアベース１１の左側部分に回動自在に取り付けられており、装填位置とガイド位置との間で変位する。フイルムカートリッジ装填部４０の上部にはつまみ４０ａが取り付けられており、このつまみを持って上方に引くことで、カートリッジ装填部４０を装填位置にセットすることができる。装填位置では、フイルムカートリッジ５０をフイルムカートリッジ装填部４０に嵌め込むことができる。フイルムカートリッジ５０を装填した後に、ガイド位置に戻すと、フイルムカートリッジ５０の出入り口がフイルム搬送路１４に位置決めされる。
【００２０】
ガイド位置のフイルムカートリッジ５０からは、フイルム送り出し部によりカートリッジ本体の外に写真フイルム１６が排出される。写真フイルム１５の排出は、フイルム送り出しモータ１９及びスプール回動軸により行われる。なお、スプール回動軸は図示しないシフト機構により軸方向で移動自在に構成されており、フイルムカートリッジ５０がガイド位置にセットされた後に、フイルムカートリッジ５０のスプール５０ａが係合するように配置されている。
【００２１】
第１，第２搬送ローラ対４１，４５はフイルム搬送モータ２２により回転駆動される。そして、フイルム搬送路１４を搬送されてきた写真フイルム１６は、フイルム貯留部２０へ導かれる。フイルム貯留部２０内へ送られてきた写真フイルム１６は、ＩＸ２４０タイプ用のフイルム巻取り軸５１に巻き取られる。フィルム巻取り軸５１はフイルム搬送モータ２２により回転駆動される。フイルム搬送モータ２２が正転すると、搬送ローラ対４１，４５が一方向に回転し写真フイルム１６をフイルムカートリッジ５０から引き出すようにＡ方向に送る。また、フイルム搬送モータ２２が逆転すると、搬送ローラ対４１，４５が他方向に回転して、写真フイルム１６をフイルムカートリッジ５０内に巻き戻すようにＢ方向に送る。フイルム搬送路１３の第４フイルム搬送ローラ対３２と、フイルム搬送路１４の第２フイルム搬送ローラ対４５とは一体に連結して形成された連結ローラであり、フイルム搬送ローラ対３２，４５からなる連結ローラはベルト又はギヤを介してフイルム搬送モータ２２からの回転が伝達され、搬送ローラ対２６，２８，２９，４１は、搬送ローラ対３２，４５からベルトを介して回転が伝達されている。なお、搬送ローラ対３４，４７は回動自在に取り付けられ、写真フイルム１５，１６に接触して回転するのみであり、駆動は伝達されていない。また、フイルム巻取り軸３７及び５１は一体に連結されて形成されており、ベルト、ギヤ、及びクラッチなどを介してフイルム搬送モータ２２からの回転が伝達される。
【００２２】
読み取り用磁気ヘッド４２は、写真フイルム１６の磁気記録層に記録された撮影情報等を読み取るために設けられたものであり、記録用磁気ヘッド４６は、磁気記録層へ新たな磁気情報を書き込むための設けられたものである。パーフォレーションセンサ４３は、写真フイルム１６に形成されたパーフォレーションを検出する。これら読み取り用磁気ヘッド４２，センサ４３からの各種情報及び検出信号は、コントローラ３６に送られ、また、コントローラ３６からは記録用磁気ヘッド４６へ記録用の情報が送られる。
【００２３】
露光開口４４は、上述した１３５タイプ用のフイルム搬送路１３に設けられているものと同様であり、ＩＸ２４０タイプの写真フイルム１６に合わせたサイズに形成されている。そして、露光開口４４の位置に対象コマがセットされたときに、フイルムプレス機構３１が写真フイルム１６を挟持する。
【００２４】
フイルムプレス機構３１は、本発明のフイルムキャリア１０に１つだけ組み込まれているが、フイルム搬送路１３、及びフイルム搬送路１４のうちいずれを使用した場合でも動作し、写真フイルム１５又は写真フイルム１６のいずれかを挟持するように設けられている。このフイルムプレス機構３１は、詳しくは図４、図５に示すように、ロアマスク６０、６１と、アッパーマスク６２、６３と、フイルム圧着板６４と、駆動部６５とからなる。
【００２５】
ロアマスク６０、６１は、露光開口３０、４４の上方にそれぞれ取り付けられており、ロアマスク６０は着脱自在に取り付けられ、ロアマスク６１はキャリアベース１１に固着されている。ロアマスク６０、６１には、画像を読み取るコマサイズの開口６０ａ、６１ａがそれぞれ形成されている。アッパーマスク６２、６３は、フイルム圧着板６４の下方に着脱自在に取り付けられており、ロアマスク６０、６１と対面するようにそれぞれ配置されている。このアッパーマスク６２、６３は透明樹脂により形成されており、写真フイルム１５，１６を挟持したときには、このアッパーマスク６２、６３を透過して、写真フイルム１５，１６に記録されたアスペクト情報マーク、擬似ズーム情報マークなどをＣＣＤで読み取る。各種情報は、コントローラ３６に送られる。
【００２６】
フイルム圧着板６４は、詳しくは、図６に示すように、フイルム搬送方向と直交するフイルム幅方向と平行に配置された圧着板取付軸６６を介して、ネジ止めなどにより上カバー１２に回動自在に取り付けられており、この１つのフイルム圧着板６４に１３５タイプ用及びＩＸ２４０タイプ用の２つのアッパーマスク６２、６３が取り付けられている。このフイルム圧着板６４は、上カバー１２側へ接近するように取り付けられたバネ６７の付勢により、通常時にはフイルム搬送路１３、１４から離れた位置にある。写真フイルム１５を読み取るときには、駆動部６５によりフイルム圧着板６４が駆動され、バネ６７の付勢に抗して圧着板取付軸６６を中心にして回動する。なお、図４、図５に示すようにフイルム搬送路上方部１３ｂ，１４ｂは、フイルム圧着板６４の下方に配置されており、図示しないネジ及びバネを介して上カバー１２に接続されている。バネ６７は、フイルム搬送路上方部１３ｂ，１４ｂとフイルム圧着板６４との間に取り付けられている。
【００２７】
駆動部６５は、ソレノイド６８、及び鉄片６９からなる。ソレノイド６８は、キャリアベース１１側に設けられ、フイルム搬送路下方部１３ａ、１４ａの間に挟まれて配置されている。鉄片６９はフイルム圧着板６４に取り付けられ、ソレノイド６８の上方に対面するように配置されている。ソレノイド６８は、鉄心６８ａと、この鉄心６８ａに巻きつけられたコイル（図示せず）とから形成されている。このソレノイド６８は、コントローラ３６の制御によりドライバ７０を介してコイルに通電が行われ、磁力を発生した鉄心６８ａが鉄片６９を吸着して、フイルム圧着板６４を引き寄せる。これにより、アッパーマスク６２，６３はロアマスク６０，６１とそれぞれ対面し、写真フイルム１５，又は写真フイルム１６の対象コマを押さえ付ける。
【００２８】
また、上カバー１２の内壁面側には、フイルム圧着板６４の先端部に対面する位置に弾性部材７１が設けられている。弾性部材７１は、ゴム又はスポンジなどで形成されており、フイルム圧着板６４が上カバー１２に近接する位置に移動してきたとき、フイルム圧着板６４と上カバー１２とが直接衝突するのを防止する緩衝材としての役割を持つ。
【００２９】
次に、本実施形態の作用を説明する。以下では、１３５タイプの写真フイルム１５を読み取るときの状態を例に上げて説明する。写真フイルム１５の読み取りは以下のようにして行われる。フイルム挿入口２４にフイルム先端がセットされると、フイルム搬送モータ２２が正転して、フイルム搬送ローラ対２６，２８，２９，３２，３４が回転する。フイルム搬送ローラ対２６，２８，２９，３２，３４の回転により写真フイルム１５がフイルムキャリア１０内に引き込まれ、矢印Ａ方向へのフイルム送りが行われる。そして、パーフォレーションセンサ２７，３３が写真フイルム１５のパーフォレーションを検出すると、図示しない画像読取装置のスキャナにより、プレスキャンが行われる。
【００３０】
プレスキャンでは、比較的ラフな読み取り精度で画像を読み取る。そして、このプレスキャンデータにより、後のファインスキャン時の画像読取条件を決定する。全コマ分のプレスキャンを終了すると、フイルム搬送モータ２２が停止され、フイルム送りを終了する。
【００３１】
次に、フイルム搬送モータ２２が逆転され、フイルム搬送ローラ対２６，２８，２９，３２，３４により写真フイルム１５が戻される。そして、このフイルムの戻し送り時に、ファインスキャンにより写真フイルム１５の各コマの画像が読み取られる。
【００３２】
写真フイルム１５の搬送中は、図４（Ａ）及び図５（Ａ）に示すようにフイルム圧着板６４はバネ６７の付勢により、写真フイルム１５から離れた初期位置にある。このとき、露光開口３０上の写真フイルム１５は、ロアマスク６０，６１及びアッパマスク６２，６３に挟持されることがなく、フイルム面にこすり傷などがつくことがない。また、画像が読取位置にセットされた画像読取位置では、フイルムプレス機構３１により、ロアマスク６０，６１及びアッパマスク６２，６３で写真フイルム１５が挟持され、写真フイルム１５が平坦に保持される。写真フイルム１５の挟持は、次のように行われる。
【００３３】
ドライバ７０を介して通電されたソレノイド６８は、鉄片６９を吸着してフイルム圧着板６４を引き寄せる。これにより、図４（Ｂ）、図５（Ｂ）に示すように、フイルム圧着板６４は圧着板取付軸６６を中心にして回動し、アッパーマスク６２が写真フイルム１５をロアマスク６０に押さえ付ける。コントローラ３６は、フイルムプレス機構３１により写真フイルム１５を挟持した状態で、画像を読み取る。
【００３４】
以上のように、フイルム搬送ローラ対２６，２８，２９，３２，３４による搬送とフイルムプレス機構３１により対象コマを挟持する動作とを繰り返して、写真フイルム１５の各コマのプレスキャンとファインスキャンとが行われる。全てのコマの画像読取が終了すると、フイルム搬送モータ２２が一定時間回転を続行し、写真フイルム１５がフイルムキャリア１０から排出される。
【００３５】
なお、上記例では、１３５タイプの写真フイルム１５を読み取るときの状態を例に上げて説明したが、ＩＸ２４０タイプのフイルム１６の場合も、使用するフイルム搬送路、ロアマスク、アッパーマスク、及びフイルム巻き取り部などの部材、フイルムを装填する方法などが異なるだけで、１３５タイプの写真フイルム１５の場合と同様の作用を示す。
【００３６】
ＩＸ２４０タイプのフイルムカートリッジ５０がフイルムキャリア１０にセットされると、先ず写真フイルム１６がフイルム巻取り軸５１に巻き取られながら、プレスキャンが行われ、次に写真フイルム１６が戻されて、ファインスキャンが行われる。そして、各コマが露光開口４４上にセットされると、フイルム送りが停止され、フイルムプレス機構３１によりロアマスク６１上の対象コマがアッパーマスク６３により押さえ付けられ挟持される。このように、フイルム搬送路１３、及び１４のいずれを使用した場合でも、１つのフイルムプレス機構３１で、写真フイルムの対象コマを確実に挟持することが可能である。また、フイルム圧着板６４を駆動する駆動部６５は、フイルム搬送路１３及びフイルム搬送路１４の間に挟まれて配置されているので、フイルムキャリア１０内部の組み込みスペースを有効に使用しており、コンパクト化を妨げることがない。
【００３７】
なお、上記実施形態では、上カバー１２にフイルム圧着板６４を取り付けたが、キャリアベース１１に、取付軸を介して回動自在に取り付けてもよい。この場合にも、写真フイルムの幅方向に平行に圧着板取付軸を設けることで複数の搬送路に対して、１つのフイルム圧着板で複数のアッパマスクを同一圧着条件で取り付けることができる。
【００３８】
上記実施形態では、ソレノイドを用いてフイルムプレス機構３１を駆動させたが、この他に、モータによるカム駆動などでフイルムの圧着を行ってもよい。
【００３９】
上記実施形態では、画像読取装置にセットしたフイルムキャリアに本発明を実施したが、この他に、写真フイルムを透過した焼付光を焼付レンズによりカラーペーパーに結像させるアナログプリント方式の写真プリンタ用のフイルムキャリアに本発明を実施してもよい。
【００４０】
【発明の効果】
以上のように、本発明のフイルムキャリアによれば、写真フイルムの読取対象エリアとなる開口位置にロアマスクを有するキャリアベースと、前記ロアマスクを通過するように形成される前記写真フイルムの搬送路と、前記ロアマスクに対応する位置でロアマスクとにより前記搬送路を挟むように配置されるアッパマスクと、このアッパマスクを保持し、前記写真フイルムを前記ロアマスク及びアッパマスクにより挟持する挟持位置と写真フイルムを開放する退避位置との間で変位自在な圧着部材と、この圧着部材を前記挟持位置または退避位置に選択的にセットする駆動部とを備え、前記圧着部材を写真フイルムの幅方向に平行な圧着部材取付軸に取り付けたので、異なる種類のフイルムに対応するように複数のフイルム搬送路を設けた場合でも、部品点数の増加を防いで、コストダウン化を図ることができる。さらに、駆動部をソレノイドから構成し、複数のフイルム搬送路の間に配置したので、組み込みスペースの効率が良く、コンパクト化を図ることができる。
【図面の簡単な説明】
【図１】本発明のフイルムキャリアの使用時の外観を示す斜視図である。
【図２】図１に示すフイルムキャリアのメンテナンス時の外観を示す斜視図である。
【図３】図１に示すフイルムキャリアの構成の概略を示す説明図である。
【図４】フイルムプレス機構を写真フイルムの幅方向と平行な面で切断した断面図である。
【図５】フイルムプレス機構を写真フイルムの搬送方向と平行な断面で切断した断面図である。
【図６】フイルム圧着板の構成を示す分解斜視図である
【符号の説明】
１０  フイルムキャリア
１１  キャリアベース
１２  上カバー
１２ａ  上カバー取付軸
１３、１４  フイルム搬送路
１５、１６  写真フイルム
３０、４４  露光開口
３１  フイルムプレス機構
６０、６１  ロアマスク
６２、６３  アッパーマスク
６４  フイルム圧着板
６５  駆動部
６６  圧着板取付軸
６８  ソレノイド
【図１】
0004597412.tif 000002
【図２】
0004597412.tif 000003
【図３】
0004597412.tif 000004
【図４】
0004597412.tif 000005
【図５】
0004597412.tif 000006
【図６】
0004597412.tif 000007